(57)【要約】【目的】  記録層の局所的な平均化を実現することにより、結果的に記録再生の安定化を確保することができる情報記録再生メモリ媒体を提供する。【手段】  基板１の上層に電極層２と記録層３とが積層され、電極層２から記録層３に跨る粒状粒子における粒子内の組成が傾斜的に変化している。このとき、電極層２と記録層３とに連続的な柱状粒子を構成することができ、導電性を有する部分（導電性部）が形成される。そのため、チャージアップを抑制し得て、しかも、結晶性を高く維持することができる。【選択図】図１
2014013645.tif 000002
【特許請求の範囲】
【請求項１】
基板上に一つの電極層と記録層とがこの順に積層された情報記録再生メモリ媒体において、
前記電極層又は前記記録層の組成を構成する原子の少なくとも一種の原子濃度が傾斜的に変化しており、
前記電極層及び前記記録層の結晶粒子径が記録ピット径と同じ又はそれよりも小さい微結晶からなり、
前記電極層の結晶粒子径が前記記録層の結晶粒子径よりも小さい粒径の結晶であることを特徴とする情報記録再生メモリ媒体。
【請求項２】
基板上に電極層と記録層とが積層された少なくとも３層構造の情報記録再生メモリ媒体において、
前記電極層及び前記記録層は、同じ系の結晶構造を有する材料から構成され、
前記電極層又は前記記録層の組成を構成する原子の少なくとも一種の原子濃度が傾斜的に変化しており、
前記電極層及び前記記録層の結晶粒子径が記録ピット径と同じ又はそれよりも小さい微結晶からなり、
前記電極層の結晶粒子径が前記記録層の結晶粒子径よりも小さい粒径の結晶であることを特徴とする情報記録再生メモリ媒体。
【請求項３】
前記情報記録再生メモリ媒体は、プローブメモリ用の媒体であることを特徴とする請求項１又は２に記載の情報記録再生メモリ媒体。
【請求項４】
前記原子濃度は、前記電極層と前記記録層との両層にわたり傾斜的に変化している請求項１乃至３のいずれか１項記載の情報記録再生メモリ媒体。
【請求項５】
前記電極層及び前記記録層の原子が拡散していることを特徴とする請求項１乃至４のいずれか１項記載の情報記録再生メモリ媒体。
【請求項６】
前記記録層が強誘電体記録層であることを特徴とする請求項１乃至５の何れか１項に記載の情報記録再生メモリ媒体。
【請求項７】
前記記録層がＰｂ（Ｚｒ，Ｔｉ）Ｏ３［ＰＺＴ］、ＳｒＢｉ２Ｔａ２Ｏ９［ＳＢＴ］、Ｂｉ４Ｔｉ３Ｏ１２［ＢＩＴ］、ＬｉＴａＯ３、ＬｉＮｂＯ３の何れかからなることを特徴とする請求項６項に記載の情報記録再生メモリ媒体。
【請求項８】
前記記録層は、下層よりも上層に向かう程、Ｐｂ原料の割合が多いことを特徴とする請求項７に記載の情報記録再生メモリ媒体。
【請求項９】
前記記録層のＰｂ原料の上層部位の割合が２０％〜２２％（原子％）の範囲にあることを特徴とする請求項８に記載の情報記録再生メモリ媒体。
【請求項１０】
前記電極層が配向性を有していない膜からなることを特徴とする請求項１乃至請求項９の何れかに記載の情報記録再生メモリ媒体。
【請求項１１】
前記記録層が配向性のない膜により構成されていること特徴とする請求項１乃至９の何れか１項に記載の情報記録再生メモリ媒体。
【請求項１２】
前記電極層が導電性酸化物であることを特徴とする請求項１乃至１１の何れかに記載の情報記録再生メモリ媒体。
【請求項１３】
前記電極層がＳＲＯ(ＳｒＲｕＯ３)，ＬＳＣＯ（ＬａｘＳｒ１−ｘＣｏＯ３），ＬａＮｉＯ３，ＮｂドープＳＴＯ(ＳｒＴｉＯ３)の何れかであることを特徴とする請求項１２に記載の情報記録再生メモリ媒体。
【請求項１４】
前記基板と前電極層との間にアモルファス層が介在していることを特徴とする請求項１乃至１３のいずれか１項記載の情報記録再生メモリ媒体。
【請求項１５】
基板上層に電極層と強誘電体層とが積層された情報記録再生メモリ媒体において、前記強誘電体層が導電性部を備えている情報記録再生メモリ媒体において、
前記電極層及び前記記録層の結晶粒子径が記録ピット径と同じ又はそれよりも小さい微結晶からなり、
前記電極層の結晶粒子径が前記記録層の結晶粒子径よりも小さい粒径の結晶であることを特徴とする情報記録再生メモリ媒体。
【請求項１６】
前記情報記録再生メモリ媒体は、プローブメモリ用の媒体であることを特徴とする請求項１５に記載の情報記録再生メモリ媒体。
【請求項１７】
最上層部にアモルファス層が形成されていることを特徴とする請求項１乃至１６の何れか１項に記載の情報記録再生メモリ媒体。
【請求項１８】
前記記録層の上層に保護層が設けられると共に、該保護層が前記記録層よりも粒径が小さいか又はアモルファス材料からなることを特徴とする請求項１乃至１７の何れか１項に記載の情報記録再生メモリ媒体。
【請求項１９】
前記保護層は前記記録層の構成原子を全て含んでいることを特徴とする請求項１８に記載の情報記録再生メモリ媒体。
【請求項２０】
前記保護層と前記記録層との組成比が同じであることを特徴とする請求項１９に記載の情報記録再生メモリ媒体。
【請求項２１】
前記保護層は、記録層の表面を化学研磨して得られた層であることを特徴とする請求項１７乃至２０の何れか１項に記載の情報記録再生メモリ媒体。
【請求項２２】
前記保護層の表面はプラズマエッチング処理がされていることを特徴とする請求項１７乃至２０の何れか１項に記載の情報記録再生メモリ媒体。
【請求項２３】
前記保護層の上層に、該保護層よりも微粒子又はアモルファスな表面層が積層されていることを特徴とする請求項１６乃至２２の何れか１項に記載の情報記録再生メモリ媒体。
【請求項２４】
前記保護層又は前記表面層の上層に、潤滑層が積層されていることを特徴とする請求項２３に記載の情報記録再生メモリ媒体。
【発明の詳細な説明】
【技術分野】
【０００１】
本発明は、情報記録再生メモリ媒体に関するものである。
【背景技術】
【０００２】
【非特許文献１】PIONEER  R&D  Vol.15  No.2「SNDM強誘電体プローブメモリによる超高密度デジタルデータ記録再生」
【特許文献１】特開平０９−１５３２３５号公報
【特許文献２】特開平０９−０９７４５７号公報
【０００３】
近年のマルチメディア社会、特に、ハイビジョンシステム、高度情報通信システム、コンピュータネットワーク、ビデオオンデマンド、インフォメーションデマンド等に必要とされる大容量の画像情報やデータファイルを記録・再生する際には、高速な記録・再生処理の要求が益々高まっている。
【０００４】
このような、ランダムアクセスが可能な高密度記録技術には、磁気記録、光記録、半導体メモリ等がある。
情報通信技術が著しく発展するにともない、情報の大容量化が進み、より高密度・大容量の記録が要求されている。しかし，現在広く用いられている磁気記録の記録密度はそろそろ理論限界に達すると考えられている。
【０００５】
そこで、強誘電体メモリが着目されている。強誘電体メモリは、より高密度な記録が可能であると考えられており、次世代の高密度記録方式として期待されている。
【０００６】
そして、かかる超高密度メモリにおいて高速アクセス−高速データ転送が可能な強誘電体プローブメモリが盛んに研究されている。
【０００７】
走査型プローブ顕微鏡の原理を利用するプローブメモリ技術は、記録密度を向上させる記録方式として期待されている。これは、記録メデイアと、その記録メデイアをステージ上に設置してＸ−Ｙ方向に駆動するアクチュエータと、前記記録メディアへの情報書込みあるいは情報読出しを実行するための超小型の探針（プローブチップ）を１つまたはそれ以上供えたプローブと、この情報を適宜処理して所望のデータを出力する信号処理部とから構成される。プローブチップを記録メデイア（記録媒体ともいう。）の所望の位置に接近あるいは接触させ、記録メディアにおける種々の物理量を原子分子レベルの空間分解能で検出することで、情報の読出しあるいは書込みを実行する。したがって、Ｘ−Ｙ方向の２軸以上の駆動を実行することができる高精度なＸ−Ｙアクチュエータが必要である。また、Ｚ軸方向にはＸ−Ｙ平面上を移動する記録メデイアと同期させてプローブを変形し、プローブチップを記録メディアに接近あるいは接触させるプロービング駆動部が必要となる。
【０００８】
その一つとして、図１１に示すように、ＳＮＤＭ強誘電体プローブメモリ１０が本発明者により開発されている。
【０００９】
これは、強誘電体の分極分布を純電気的に高分解能で測定可能な走査型非線形誘電率顕微鏡(Scanning Nonlinear Dielectric Microscopy ;SNDM)の技術を再生法として応用した技術である。
【００１０】
この技術においては、図１０に示すように、強誘電体記録媒体２１は、基板２２の上層に、電極層２３及び強誘電体層２４が順次形成された層構造を有している。尚、強誘電体記録媒体２１の外観の一例を図９に示す。
【００１１】
ＳＮＤＭ強誘電体プローブメモリ１０では、プローブ（ヘッド）１１を走査させて記録再生を行うため、媒体表面の平坦性及び平滑性が重要である。
【００１２】
また、媒体表面の面内均一性を確保することは、信頼性（例えば、エラーやデータ欠損の抑制）や歩留まりを向上するために重要である。
【００１３】
尚、ＳＮＤＭ強誘電体プローブメモリ１０に限らず強誘電体プローブメモリにおいては、ＦｅＲＡＭ等とは異なり、強誘電体層２４の上層に上部電極を必要とせず、プローブ（ヘッド）１１が電極の代わりとなっている。すなわち、強誘電体メモリはまず、上部電極を必要としない。そして、記録メデイアの強誘電体層２４の表面は露出面となっている。
【００１４】
また、ＦｅＲＡＭでは、１ビットに１つのキャパシタが形成されるか、または、強誘電体をゲート絶縁膜として用いたトランジスタが形成されている。
【００１５】
それに対して、ＳＮＤＭ強誘電体プローブメモリ１０においては、媒体面内のほぼ全面が強誘電体層となっている。
【００１６】
記録に使用するのは強誘電体層の分極のＺ軸成分である。従って、Ｃ軸配向を有する強誘電体膜が好ましい。
【００１７】
かかる観点から、強誘電体層は次のように作成される。
（１）ＬｉＴａＯ３（ＣＬＴ）単結晶（３インチ径、５００μｍ）に下部電極として、クロム（Ｃｒ）を蒸着する。
（２）クロムを蒸着したＣＬＴウェーハを、Ｓｉ基板あるいはＣＬＴ基板に貼り付ける。
（３）機械研磨により、ＣＬＴウェーハを厚さ１μｍ程度まで研磨する。
（４）ＡｒとＯ２の混合ガスによるドライエッチングにより、厚さ５０ｎｍ程度に仕上げる。結晶厚さを１００ｎｍ以下にまで薄く加工するのは、低電圧駆動・高速・高密度記録を達成するためである。
【００１８】
この技術により、１Ｔ（テラ）ｂｉｔ／ｉｎｃｈ2超の高密度記録が可能となっている。（非特許文献１）
しかしながら、このような技術においては、強誘電体層として、ウェーハを始発材料としているため、大量の量の研磨を必要とせざるを得ない。
【００１９】
一方、強誘電体層を成膜により形成する半導体メモリ等にあっては、半導体基板（例えば、Ｓｉ基板）の上層に、電極層と強誘電体記録層とをこの順に成膜した多層の積層体構造を採用したものが知られている（例えば、特許文献１，２参照）。
【００２０】
この際、強誘電体記録層は、その材料としては、優れた強誘電性を示すＰｂ（Ｚｒ，Ｔｉ）Ｏ３［ＰＺＴ］等のＰｂ系や、ＳｒＢｉ２Ｔａ２Ｏ９［ＳＢＴ］又はＢｉ４Ｔｉ３Ｏ１２［ＢＩＴ］等が用いられており、特に、これらの中でも、残留分極が大きい点において、Ｐｂ（Ｚｒ，Ｔｉ）Ｏ３［ＰＺＴ］が好ましいとされている。
【００２１】
また、強誘電体の特徴は、自発分極を有し、その方向を電界によってコントロールすることができることにあり、電界の方向に対して２つの安定点を利用して、デジタルデータの“０”“１”に対応させ、両者間を高速に切り換え記録することができる。
【００２２】
さらに、このような半導体メモリ等に対する情報の記録・消去は、例えば、原子間力顕微鏡（ＡＦＭ）構成による記録・消去装置によって行い、その針状電極を有する導電性カンチレバーによる記録ヘッドを接触させて、その記録ヘッドすなわち導電性カンチレバーから２０Ｖ以下の高速パルス電圧を印加して、強誘電体記録層の自発分極の向きを局所的にかつ高速に反転させて行うことで高速記録が可能となる。
【００２３】
一方、電極層や強誘電体記録層等の各構成料層は、例えば、スパッタリング法、ＭＯＣＶＤ（Ｍｅｔａｌ  Ｏｒｇａｎｉｃ  Ｃｈｅｍｉｃａｌ  Ｖａｐｏｒ  Ｄｅｐｏｓｉｔｉｏｎ  ）法、ＬＰＣＶＤ（低圧ＣＶＤ）法、分子線蒸着法、通常の蒸着法、ＭＯＤ（ＭｅｔａｌＯｘｉｄｅ  Ｄｅｐｏｓｉｔｉｏｎ）法、レーザアブレーション法、ゾルゲル法、スピンコート法、熱酸化法、熱窒化法、等によって成膜することができる。
【発明の開示】
【発明が解決しようとする課題】
【００２４】
ところで、上記の如く構成された情報記録再生メモリ媒体にあっては、強誘電体記録層の自発分極の向き（配向）を局所的にかつ高速に反転させるため、その配向は厳密に規定されており、全体的若しくは局所的な平均化を実現するためには、非常に高度な技術が必要で、製品コストの高騰要因となってしまうという問題が生じていた。
【００２５】
本発明は、上記問題を解決するため、記録層の局所的な平均化を実現することにより、結果的に記録再生の安定化を確保することができる情報記録再生メモリ媒体を提供することを目的とする。
【課題を解決するための手段】
【００２６】
その目的を達成するため、本発明に係る情報記録再生メモリ媒体は、次の通りである。
【００２７】
請求項１に係る発明は、基板上に一つの電極層と記録層とがこの順に積層された情報記録再生メモリ媒体において、前記電極層又は前記記録層の組成を構成する原子の少なくとも一種の原子濃度が傾斜的に変化しており、前記電極層及び前記記録層の結晶粒子径が記録ピット径と同じ又はそれよりも小さい微結晶からなり、前記電極層の結晶粒子径が前記記録層の結晶粒子径よりも小さい粒径の結晶であることを特徴とする情報記録再生メモリ媒体である。
記録層と電極層との二種の構成元素の原子濃度が相互に傾斜的に変化していることが適切な導電性を記録層に与える上で好ましい。
【００２８】
請求項２に記載の発明によれば、原子濃度が傾斜的に変化することにより、電極層と記録層とにわたる連続的な粒子（特に柱状の粒子）が形成される。この粒子は導電性部となる。導電性も傾斜的に変化する。
【００２９】
なお、本発明では、結晶性を高く維持することができるばかりでなく、分極電荷の非局在化に伴う安定化を確保することも可能となる。
また、一つのビットを複数の粒子で構成することとなり、各ビットの特性信号を平均化することができる。
さらに、記録層が下層の粒子に倣って成長することができ、粒子の小さな記録層を成長させることができる。
【００３０】
請求項２に係る発明は、基板上に電極層と記録層とが積層された少なくとも３層構造の情報記録再生メモリ媒体において、前記電極層及び前記記録層は、同じ系の結晶構造を有する材料から構成され、前記電極層又は前記記録層の組成を構成する原子の少なくとも一種の原子濃度が傾斜的に変化しており、前記電極層及び前記記録層の結晶粒子径が記録ピット径と同じ又はそれよりも小さい微結晶からなり、前記電極層の結晶粒子径が前記記録層の結晶粒子径よりも小さい粒径の結晶であることを特徴とする情報記録再生メモリ媒体である。
【００３１】
請求項２に記載の発明によれば、記録層を成長初期段階から良い結晶構造で成長させることができる。
また、一つのビットを複数の粒子で構成することとなり、各ビットの特性信号を平均化することができる。
さらに、記録層が下層の粒子に倣って成長することができ、粒子の小さな記録層を成長させることができる。
【００３２】
請求項３に係る発明は、前記情報記録再生メモリ媒体は、プローブメモリ用の媒体であることを特徴とする請求項１又は２に記載の情報記録再生メモリ媒体である。
【００３３】
プローブメモリ用の媒体においては、ヘッド又はプローブが媒体上を相対的に走査して、情報を記録再生する。すなわち、プローブメモリ用の媒体においては、メモリ媒体の上面には上部電極が無く、剥き出しの状態となっている。かかる状態において、記録層に導電性部が存在することにより媒体表面のチャージアップを防止するという作用は特に有効ある。なお、プローブは、記録層への情報の書き込み乃至読み出しが可能なものであれば特に限定されるものではなく、探針あるいはプローブチップと呼ばれることもある。
さらに、請求項４に記載の発明によれば、微小領域で物理特性の変化と保持（例えば分極の向き、その他の例としては磁化の変化、抵抗率変化など）が可能である。高分解能で媒体の物理特性の制御、測定（記録、再生）が可能なプローブメモリに用いることが可能となり、小型大容量のメモリーが実現できる。
【００３４】
請求項４に係る発明は、前記原子濃度は、前記電極層と前記記録層との両層にわたり傾斜的に変化している請求項１乃至３のいずれか１項記載の情報記録再生メモリ媒体である。
原子濃度の傾斜的な変化は、電極層あるいは記録層のそれぞれの層中においてのみ存在してもよいが、電極層と記録層との両層にわたって傾斜的に変化していることが発明の効果はより一層効果的である。
請求項５に係る発明は、前記電極層及び前記記録層の原子が拡散していることを特徴とする請求項１乃至４のいずれか１項記載の情報記録再生メモリ媒体である。
なお、電極層及び記録層の原子が相互に拡散していることが特に好ましい。拡散により導電性部を形成することができる。
【００３５】
請求項５に記載の発明によれば、容易に組成が傾斜的に変化した前記電極層及び前記記録層の原子が構造を実現できる。
【００３６】
請求項６に係る発明は、前記記録層が強誘電体記録層であることを特徴とする請求項１乃至５の何れかに記載の情報記録再生メモリ媒体である。
【００３７】
請求項７に係る発明は、前記記録層がＰｂ（Ｚｒ，Ｔｉ）Ｏ３［ＰＺＴ］、ＳｒＢｉ２Ｔａ２Ｏ９（ＳＢＴ）、Ｂｉ４Ｔｉ３Ｏ１２（ＢＩＴ）、ＬｉＴａＯ３、ＬｉＮｂＯ３の何れかからなることを特徴とする請求項８に記載の情報記録再生メモリ媒体である。
【００３８】
請求項６及び請求項７に記載の発明によれば、記録層が強誘電体層であっても、それ以外の材料からなる層と同様の効果を奏することができる。
【００３９】
請求項８に係る発明は、前記記録層は、下層よりも上層に向かう程、Ｐｂ原料の割合が多いことを特徴とする請求項７に記載の情報記録再生メモリ媒体である。
【００４０】
請求項８に記載の発明によれば、Ｐｂが多いと電極層の元素の拡散が促進されてリークが発生しやすくなり、Ｐｂが少ないと強誘電性が損なわれるといった問題を回避することができる。
【００４１】
請求項９に係る発明は、前記記録層のＰｂ原料の上層部位の割合が２０％〜２２％（原子％）の範囲にあることを特徴とする請求項８に記載の情報記録再生メモリ媒体である。
【００４２】
請求項９に記載の発明によれば、上述したＰｂ原料の割合に起因する効果をより厳密に確保することができる。また、ポストアニールを行った場合には、電極層と記録層との相互拡散をより一層促進することができる。
【００４３】
請求項１０に係る発明は、前記電極層が配向性の無い膜により構成されていることを特徴とする請求項１乃至請求項９の何れかに記載の情報記録再生メモリ媒体である。
【００４４】
請求項１１に係る発明は、前記記録層が配向性のない膜により構成されていること特徴とする請求項１乃至請求項９の何れかに記載の情報記録再生メモリ媒体である。
【００４５】
請求項１０及び請求項１１に記載の発明によれば、上層に向かう程、粒子は大きくなり易いため、下層を記録層の目的の粒子径よりもさらに微小とすることにより、粒子の小さな記録層を成長させることができると共に、下層が無配向であることによって上層も無配向とすることができる。
【００４６】
請求項１２に係る発明は、前記電極層が導電性酸化物であることを特徴とする請求項１乃至請求項１１の何れかに記載の情報記録再生メモリ媒体である。
【００４７】
請求項１３に係る発明は、前記電極層の元素がＳＲＯ，ＬＳＣＯ，ＬａＮｉＯ３，Ｎｂ−ＳＴＯの何れかであることを特徴とする請求項１２に記載の情報記録再生メモリ媒体である。
【００４８】
請求項１２及び請求項１３に記載の発明においては、電極を酸化物により構成している。従って、結晶性の良好な記録層を成長させることができる。電極を金属により構成した場合には、記録層（例えばＰＺＴ）の構成原子が電極中に拡散し、電極としての機能を損なうおそれがある。それに対して、電極が酸化物からなる場合には、記録層の材料中の酸素の影響で電極としての機能が損なわるおそれがない。また、電極層が酸化物からなっているため、空孔の無い結晶性の優れた記録層を成長させることができる。また、基板側との密着性を向上することができる。
【００４９】
請求項１４に係る発明は、前記基板と前電極層との間にアモルファス層が介在していることを特徴とする請求項１乃至１３のいずれか１項記載の情報記録再生メモリ媒体である。
アモルファス層を基板と電極層との間に形成しているため、電極を構成する材料の原子が、基板（例えばシリコン基板）へ拡散することを防止することができる。なお、アモルファス層は、例えば、酸化性雰囲気中において基板の表面を加熱し熱酸化膜を成長させることにより形成することができる。例えば、基板がシリコンの場合は、ＳｉＯ２を形成すればよい。
アモルファス層の厚さとしては５０ｎｍ以上が好ましい。５０ｎｍ以上とすることにより基板への拡散を確実に防止することができる。なお、小型化の観点から７００ｎｍ以下が好ましく、５００ｎｍ以下がより好ましい。
【００５０】
請求項１５に係る発明は、基板上に電極層と強誘電体記録層とが積層された情報記録再生メモリ媒体において、前記強誘電体層が導電性部を備えている情報記録再生メモリ媒体において、前記電極層及び前記記録層の結晶粒子径が記録ピット径と同じ又はそれよりも小さい微結晶からなり、前記電極層の結晶粒子径が前記記録層の結晶粒子径よりも小さい粒径の結晶であることを特徴とする情報記録再生メモリ媒体である。
【００５１】
導電性部は、電極層から前記強誘電体層に跨る粒状粒子における粒子内の組成が傾斜的に変化させることにより形成することができる。また、前記電極層又は前記誘電体層の組成を構成する原子の少なくとも一種の原子濃度が傾斜的に変化させることにより形成することができる。
【００５２】
誘電体層の面内において導電性の部分と絶縁性の部分とが分かれていてもよい。
【００５３】
導電性材料はメッシュ状に導入してもよい。電極層と記録層とに連続的な柱状粒子を構成することができ、チャージアップを抑制し得て、しかも、結晶性を高く維持することができる。
【００５４】
請求項１５に記載の発明によれば、強誘電体層の分極が反転すると表面電荷の過不足が発生し易いという問題を回避することができる。
また、一つのビットを複数の粒子で構成することとなり、各ビットの特性信号を平均化することができる。
さらに、記録層が下層の粒子に倣って成長することができ、粒子の小さな記録層を成長させることができる。
【００５５】
請求項１６に係る発明は、前記情報記録再生メモリ媒体は、プローブメモリ用の媒体であることを特徴とする請求項１５に記載の情報記録再生メモリ媒体である。
本請求項に係る発明によれば、請求項３において説明したと同様の効果が得られる。
【００５６】
請求項１７に係る発明は、最上層部がアモルファス層で構成されていることを特徴とする請求項１乃至請求項１６の何れかに記載の情報記録再生メモリ媒体である。
【００５７】
請求項１７に記載の発明によれば、基板の上層部の化学変化を抑制することができる。
【００５８】
請求項１８に係る発明は、前記記録層の上層に保護層が設けられると共に、該保護層が前記記録層よりも粒径が小さいか又はアモルファス層であることを特徴とする請求項１乃至請求項１７の何れかに記載の情報記録再生メモリ媒体である。
【００５９】
請求項１８に記載の発明によれば、物理的な表面保護を確保することができる。
【００６０】
請求項１９に係る発明は、前記保護層は前記録層の構成原子を全て含んでいることを特徴とする請求項１８記載の情報記録再生メモリ媒体である。
【００６１】
請求項１９に記載の発明によれば、表面保護性能を向上することができる。
【００６２】
請求項２０に係る発明は、前記保護層と前記記録層との組成比が同じであることを特徴とする請求項１９に記載の情報記録再生メモリ媒体である。
【００６３】
請求項２０に記載の発明によれば、プローブヘッド等からの電界、圧力、熱等によって保護層の結晶化や記録層の分解が発生した時の特性変化を緩和することができる。
【００６４】
請求項２１に係る発明は、前記保護層は、記録層の表面を化学研磨して得られた層であることを特徴とする請求項１７乃至請求項２０の何れかに記載の情報記録再生メモリ媒体である。
【００６５】
請求項２２に係る発明は、前記保護層の表面はプラズマエッチング処理がされていることを特徴とする請求項１７乃至請求項２０の何れかに記載の情報記録再生メモリ媒体である。
【００６６】
請求項２１及び請求項２２に記載の発明によれば、保護層の製作を容易に行うことができる。
【００６７】
請求項２３に係る発明は、前記保護層の上層に、該保護層よりも微粒子又はアモルファスな表面層が積層されていることを特徴とする請求項１６乃至請求項２２の何れかに記載の情報記録再生メモリ媒体である。
【００６８】
請求項２３に記載の発明によれば、記録層の粒子形状、グレインバウンダリの再生信号への影響を緩和することができる。
【００６９】
請求項２４に係る発明は、前記保護層又は前記表面層の上層に、潤滑層が積層されていることを特徴とする請求項２３に記載の情報記録再生メモリ媒体である。
【００７０】
請求項２４に記載の発明によれば、プローブヘッドとの摩擦を抑えることができる。
【００７１】
なお、参考発明１として、基板上に電極層と記録層とが積層された情報記録再生メモリ媒体において、前記電極層から前記記録層に跨る粒状粒子における粒子内の組成が傾斜的に変化していることを特徴とする情報記録再生メモリ媒体することも可能である。
【００７２】
参考発明１によれば、電極層と記録層とに連続的な柱状粒子を構成することができ、導電性を有する部分（導電性部）が形成される。そのため、チャージアップを抑制し得て、しかも、結晶性を高く維持することができる。
【発明の効果】
【００７３】
本発明の情報記録再生メモリ媒体によれば、記録層の局所的な平均化を実現することにより、結果的に記録再生の安定化を確保することができる。
【００７４】
強誘電体は導電性があっても情報（分極）は保持されている。導電性がある場合、キャパシタンスとしては両極が常にショートされている状態である。強誘電体プローブメモリにおいては、中和がされても読み出しが可能である。強誘電体プローブメモリにおいては、強誘電体層の表面は、上部電極のないむきだし状態である。そのため、強誘電体層が導電性を有していると、媒体表面のチャージアップを防止することができる。
【図面の簡単な説明】
【００７５】
【図１】本発明の情報記録再生メモリ媒体の断面図である。
【図２】本発明の情報記録再生メモリ媒体における成形方法の手順を示すフロー図である。
【図３】本発明の情報記録再生メモリ媒体における実験結果のグラフ図である。
【図４】本発明の情報記録再生メモリ媒体における強誘電体記録層の堆積量が粒子径に与える影響を示す説明図である。
【図５】本発明の情報記録再生メモリ媒体における粒径と記録マーク径との関係の一例を示す説明図である。
【図６】本発明の情報記録再生メモリ媒体におけるＲＴＡの温度を変化させた場合における強誘電体記録層と電極層との間の変化の様子を示す説明図である。
【図７】本発明の情報記録再生メモリ媒体におけるＣＭＰ前後の分極反転特性を示す説明図である。
【図８】本発明の情報記録再生メモリ媒体におけるプラズマエッチングの効果を反転特性により評価した結果の説明図である。
【図９】本発明の情報記録再生メモリ媒体の一例の外観斜視図である。
【図１０】従来の情報記録再生メモリ媒体の断面図である。
【図１１】ＳＮＤＭ強誘電体プローブメモリの説明図である。
【符号の説明】
【００７６】
１は基板（Ｓｉ基板、ガラス基板、アルミ基板）、２は基板１の上層に設けられた電極層、３は電極層２の上層に設けられた強誘電体記録層、４は保護層、５は表面層、６は潤滑層である。
【００７７】
１…基板
２…電極層
３…強誘電体記録層
４…保護層
５…表面増
６…潤滑層
１０…プローブメモリ
１１…プローブ（ヘッド）
【発明を実施するための最良の形態】
【００７８】
次に、本発明の情報記録再生メモリ媒体に係る実施の形態を図面に基づいて説明する。
【００７９】
図１は、本発明の情報記録再生メモリ媒体の断面図である。
【００８０】
図１において、１は基板（Ｓｉ基板、ガラス基板、アルミ基板）、２は基板１の上層に設けられた電極層、３は電極層２の上層に設けられた強誘電体記録層、４は保護層、５は表面層、６は潤滑層である。
【００８１】
具体的には、基板１の上部にスパッタリング形成（又は熱酸化により形成）されたアモルファス層（ＳｉＯ２膜）１ａの上層に、スパッタリング法により電極層２を約１５０ｎｍの厚みに積層形成した後、その電極層２の上層に、ＭＯＣＶＤ法によりＰｂ（Ｚｒ，Ｔｉ）Ｏ３［ＰＺＴ］の強誘電体記録層３を形成（成膜）する。
【００８２】
ここで、本実施の形態においては、図２に示すように、Ｓｉウェーハ熱酸化（ステップＳ１）、ＳＲＯ電極スパッタリング（ステップＳ２）、ＰＺＴ成膜（ステップＳ３）、ポストアニール（ＲＴＡ）（ステップＳ４）、ＣＭＰ（ステップＳ５）、プラズマエッチング（ステップＳ６）の工程を経由して作成される。
【００８３】
すなわち、Ｓｉウェーハ熱酸化（ステップＳ１）では、電極材料のＳｉへの拡散を防ぐ目的で、５０ｎｍ以上が好ましい。上限としては７００ｎｍが好ましい。好ましくは５０〜５５０ｎｍ程度の表面熱酸化膜（ＳｉＯ２）を形成する。
【００８４】
また、ＳＲＯ電極の形成（ステップＳ２）では、高温（５００℃〜）でＳＲＯをスパッタ成膜することによって、現状ポストアニールでは良好な成膜が得られず、モフォロジー等の問題を解消することができる。
【００８５】
この際、スパッタガスにはＡｒ＋Ｏ２を用いることにより、膜のＯ原子の不足を防ぐことができる。また、電極層２は、強誘電体記録層（本例ではＰＺＴ層）３と同じ結晶構造（本例では、ペロブスカイト構造）とすることが好ましい。この際、電極層２と強誘電体記録層３とを構成する材料の結晶の格子定数の差異は４％以内が好ましく、特に、格子定数の差異は２％以内が好ましい。また、強誘電体記録層３の結晶粒子は、電極層２の結晶粒子に倣って成長し、堆積直後（ＰＺＴ最下層）から転位、空孔が少なく、また、粒内歪みの少ない良好な結晶性を有する層として形成される。
【００８６】
強誘電体記録層３の成膜後においては、膜表面をスパッタエッチングすることが好ましい。一般的に成膜時における電力は１００Ｗ近くが用いられるが、膜表面はダメージを受ける。そのため低い電力（例えば、４０Ｗ以下）の電力でのスパッタエッチングを行うことによりダメージ層の除去を行うことが好ましい。
【００８７】
また、成膜されたＳＲＯは無配向となり、体積抵抗率は５×１０−４程度、厚さ５０ｎｍ程度とし得て、微粒子膜、即ち、微粒子のＰＺＴを成長させることができる。
【００８８】
ＰＺＴ成膜（ステップＳ３）では、例えば、ＭＯＣＶＤを用いて成膜すると共に、その際の設定温度を５００℃以下とし、この時点での結晶性は悪い（例えば、ＸＲＤの検査結果）ＰＺＴとなっているものの、Ｐｂを少し多めに入れる（Ｐｂ１．１（Ｚｒ０．４，Ｔｉ０．６）Ｏ３）ことでポストアニール時のＰｂ，Ｓｒの相互拡散が促進されるうえ、ＳＲＯに倣って微粒子で無配向な層とすることができる。
【００８９】
尚、上層に向かう程、粒子は成長（厚さ５０ｎｍ〜２００ｎｍ）するため、この上層の粒子成長を考慮して下地層の微粒子径を設定するのが望ましい。
【００９０】
例えば、（Ｐｂｘ（Ｚｒｙ，Ｔｉ１−ｙ）Ｏ３）において、１．０＜ｘ＜１．３が好ましく、１．０１＜ｘ＜１．２がより好ましく、強誘電体記録層３の拡散の影響とによって、より一層、好ましい導電率を得ることができる。
【００９１】
なお、記録層の成膜は、スパッタリングにより行う場合、記録層の組成成分（例えばＰｂ）の組成制御が極めて難しく必ずしも所望の組成の記録層が得られない。それに対し、ＭＯＣＶＤにより成膜を行うことにより、組成精度の良好な膜を形成することが可能となる。その結果、後の工程である熱処理によっても所望の導電率を有する記録層の形成が可能となる。
【００９２】
さらに、ポストアニール（ＲＴＡ）（ステップＳ４）では、ＰＺＴ結晶化アニール（回復アニール）としてＯ２雰囲気中で急速加熱（昇温レート約１００Ｋ／ｓ、温度５００℃〜７００℃（ＰＺＴの成膜温度より高い温度）、保持時間３０ｓｅｃ〜５ｍｉｎ）とすることにより、結晶化または結晶性が改善されて強誘電性を発現することができるまた同時にPb,Srの相互拡散が起こり、記録層が多少の導電性を持つようになり電荷の過不足を抑制し、記録に適した特性を持たせることができる。
【００９３】
ＣＭＰ（ステップＳ４）では、上記各工程を経て物理的・化学的・熱的な作用により粗くなった表面の平坦化を行う。この際、研磨は、目的の厚さ（２０ｎｍ〜１５０ｎｍ）まで研磨を行う。
【００９４】
その後、プラズマエッチング（ステップＳ５）を行うことにより、上述したＣＭＰによるダメージ層をＡｒ＋Ｏ２プラズマにより０〜５ｎｍエッチングして除去する。
【００９５】
以下、本発明の詳細を説明する。
【００９６】
（電極層２）
電極層２は、特に制限はなく、目的に応じて適宜選択することができるが、例えば、スパッタリング法等により基板１（１ａ）の上層に形成することができる。スパッタリング法等による電極層２の形成条件としては、特に制限はなく、目的に応じて適宜選択することができる。
【００９７】
電極層２の材料としては、強誘電体記録層３の材料に応じて、同じ結晶構造を有するものを、目的に応じて適宜選択することができ、例えば、ＳＲＯ，ＬＳＣＯ，ＬａＮｉＯ３，Ｎｂ−ＳＴＯ（NbをドープしたSTO）等が好適であり、これらの中でも、強誘電体記録層３にＰＺＴを用いた場合には、Ｐｂの拡散を促進する観点から、ＳＲＯを用いることが好ましい。ＳＲＯとＰＺＴとは同じ結晶構造を有しているためＰｂとＳｒの相互拡散が生じやすいと考えられる。ただ、同じ結晶構造を有する他の組合せと比較しても、ＳＲＯとＰＺＴとの組合せの場合は、相互拡散が生じやすい。また、電極層を無配向とすることにより記録層も無配向とすることができる。
【００９８】
また、電極層２の厚みとしては、特に制限はなく、目的に応じて適宜選択することができるが、例えば、１０〜１０００ｎｍ程度であり、５０〜５００ｎｍが好ましい。
【００９９】
尚、基板１に上層部位にアモルファス層１ａを構成することにより、例えば、電極層２の材料に上述した導電性酸化物を用いた場合の拡散が防止されるといったように、導電性酸化物に限らず各種材料がＳｉと反応することを抑制し、アモルファス層１ａとの密着性が向上される。
【０１００】
（強誘電体記録層３）
強誘電体記録層３は、強誘電性を示す結晶化構造をとる結晶化温度以上の温度で形成される。この強誘電性を示す結晶化構造をとる結晶化温度は、強誘電体の材料により異なるが、一般的に、強誘電体記録層３がＰｂ（Ｚｒ，Ｔｉ）Ｏ３［ＰＺＴ］である場合には、５００℃以上が好ましく、５００〜７００℃がより好ましい。尚、強誘電性を示す結晶化構造とは、例えば、ペロブスカイト型結晶構造を意味する。
【０１０１】
従って、強誘電体記録層３は、ペロブスカイト型結晶構造を有することが好ましい。また、強誘電体記録層３としては、高密度で高強度な結晶が得られる点で、柱状構造であるのが好ましい。
【０１０２】
ペロブスカイト型結晶構造は、式、ＡＢＸ３で表わされる。ここで、Ａサイトの陽イオン（カチオン）と、Ｘサイトの陰イオン（アニオン）とが同程度の大きさを有し、このＡサイトとＸサイトとから構成される立方晶系単位格子の中に、Ａサイトよりも小さなサイズの陽イオンがＢサイトに位置する。
【０１０３】
ペロブスカイト型結晶構造を有する化合物の大部分は、室温では理想的な立方晶構造から僅かに歪んだ構造をしており、この適度な歪、いわゆる構造の非対称性が、ペロブスカイト型結晶構造が種々の機能を示す原因となっている。
【０１０４】
強誘電体記録層３を形成する強誘電体の材料としては、目的に応じて適宜選択することができるが、例えば、Ｐｂ（Ｚｒ，Ｔｉ）Ｏ３［ＰＺＴ］、ＳｒＢｉ２Ｔａ２Ｏ９（ＳＢＴ）、Ｂｉ４Ｔｉ３Ｏ１２（ＢＩＴ）、ＬｉＴａＯ３、ＬｉＮｂＯ３、等が挙げられる。これらは、１種単独で使用してもよいし、２種以上を併用してもよい。この際、これらの中でも、残留分極が大きい点で、Ｐｂ（Ｚｒ，Ｔｉ）Ｏ３［ＰＺＴ］が好ましい。
【０１０５】
さらに、本実施の形態においては、強誘電体記録層３は、例えば、アモルファス型構造からペロブスカイト型結晶構造に転化されたＰｂ（Ｚｒｘ，Ｔｉ１−ｘ）Ｏ３［ＰＺＴ］で形成されている。
【０１０６】
強誘電体記録層３の形成方法としては、特に制限はなく、目的に応じて適宜選択することができるが、例えば、化学溶液堆積（Ｃｈｅｍｉｃａｌ  Ｓｏｌｕｔｉｏｎ  Ｄｅｐｏｓｉｔｉｏｎ；ＣＳＤ）法、有機金属化学気相堆積（Ｍｅｔａｌｏｒｇａｎｉｃ  Ｃｈｅｍｉｃａｌ  Ｖａｐｏｒ  Ｄｅｐｏｓｉｔｉｏｎ；ＭＯＣＶＤ）法、パルス・レーザー・デポジション（Ｐｕｌｓｅ  Ｌａｓｅｒ  Ｄｅｐｏｓｉｔｉｏｎ；ＰＬＤ）法、ゾルゲル法、スパッタリング法、などから選択した方法により形成することができ、これらの中でも、ステップカバレッジが良好であり、高密度な強誘電体の結晶が得られる点で、ＭＯＣＶＤ法が好ましい。また、ＭＯＣＶＤ法は、組成制御性に優れており、熱処理（ＲＴＡ）により拡散させる化学量論比より多めにする成分の量を正確に実現させることができる。また、本発明では、電極層からのエピタキシャル成長が重要な要素となるがＭＯＣＶＤ法によれば優れたエピタキシャル成長を実現させることができるため特に好ましい。
【０１０７】
ＭＯＣＶＤ法により強誘電体記録層３を形成する際の原料ガス、反応条件等については、形成する強誘電体記録層３の種類等により異なり一概に規定することができないが、強誘電体記録層３がＰｂ（ＺｒｘＴｉ１−ｘ）Ｏ３［ＰＺＴ］である場合、原料としては、Ｐｂ原料、Ｚｒ原料、Ｔｉ原料などが用いられる。
【０１０８】
Ｐｂ原料としては、例えば、Ｐｂ（ＤＰＭ）２などが挙げられる。Ｚｒ原料としては、例えば、Ｚｒ（ｄｍｈｄ）４などが挙げられる。Ｔｉ原料としては、例えば、Ｔｉ（Ｏ−ｉＰｒ）２（ＤＰＭ）２などが挙げられる。
【０１０９】
Ｐｂ原料の流量としては、０．０１〜１．０ｍｌ／ｍｉｎ程度であり、０．１〜０．５ｍｌ／ｍｉｎが好ましく、Ｚｒ原料の流量としては、０．０１〜１．０ｍｌ／ｍｉｎ程度であり、０．１〜０．５ｍｌ／ｍｉｎが好ましく、Ｔｉ原料の流量としては、０．０１〜１．０ｍｌ／ｍｉｎ程度であり、０．１〜０．５ｍｌ／ｍｉｎが好ましい。
【０１１０】
気化後における原料ガスにおける酸素分圧としては、特に制限はなく、目的に応じて適宜選択することができるが、例えば、１〜１０Ｔｏｒｒ（１３３〜１３３３Ｐａ）程度であり、３〜７Ｔｏｒｒ（３９９〜９３３Ｐａ）が好ましい。
【０１１１】
尚、原料の調製方法は、特に制限はなく、目的に応じて適宜選択することができるが、例えば、原料の材料物質をＴＨＦ等の溶剤に溶解させて溶液を調製した後、溶液を公知の気化器を用いて気化する方法などが挙げられる。
【０１１２】
また、気化された後の原料ガスは、例えば、酸素ガスと混合されて所定の酸素ガス分圧に調整されてから、電極層２の上層にシャワーヘッド等を用いて吹き付けられ、これにより、電極層２の上層に強誘電体記録層３を形成することができる。
【０１１３】
さらに、反応条件としては、特に制限はなく、目的に応じて適宜選択することができ、例えば、温度としては、形成する強誘電体記録層３の種類に応じて異なり一概に規定することはできないが、Ｐｂ（Ｚｒ，Ｔｉ）Ｏ３［ＰＺＴ］の場合には通常５８０〜６２０℃程度である。
【０１１４】
尚、本実施の形態においては、ＭＯＣＶＤ成膜時には５００℃以下で結晶化度の低い状態で堆積させ、その後工程のＲＴＡ（５８０℃）により結晶化させている。
【０１１５】
具体的には、Ｐｂ（Ｚｒｘ，Ｔｉ１−ｘ）Ｏ３［ＰＺＴ］の成膜温度は６００℃以下、さらには、５００℃以下（例えば、４７５℃）でも可能である。また、Ｐｂ原料としてＰｂ（ＤＰＭ）２を０．０５〜０．５ｍｌ／ｍｉｎ、Ｚｒ原料としてＺｒ（ｄｍｈｄ）４を０．０１〜０．１０ｍｌ／ｍｉｎ、Ｔｉ原料としてＴｉ（Ｏ−ｉＰｒ）２（ＤＰＭ）２を０．０５〜０．３ｍｌ／ｍｉｎ導入する。
【０１１６】
また、本実施の形態においては、強誘電体記録層３を構成するＰｂ（Ｚｒｘ，Ｔｉ１−ｘ）Ｏ３［ＰＺＴ］の結晶粒子は、異なる成分、組成でありながら同じ粒子の結晶構造を持つ電極層２を構成するＳＲＯの結晶粒子と共に、微結晶（例えば、３０ｎｍ以下）とされている。
【０１１７】
ここで、微結晶（微結晶子）とは、その粒径が記録ピット径（例えば、３０ｎｍ）と同程度かそれよりも小さいということを意味し、一つのビットを1つないし複数の微結晶で構成することにより、各ビットの特性信号を平均化することができる。
【０１１８】
この際、電極層２の結晶粒子は、強誘電体記録層３の結晶粒子よりも、さらに微結晶とするのが好ましい。これは、強誘電体記録層３を成膜する際、電極層２の粒子に倣って強誘電体記録層３が成長するため、上層に向かう程、粒子径が大きくなり易いことに起因する。
【０１１９】
このように、強誘電体記録層３を構成するＰｂ（Ｚｒｘ，Ｔｉ１−ｘ）Ｏ３［ＰＺＴ］の結晶粒子を、異なる成分、組成でありながら同じ（粒子の）結晶構造を持つ電極層２を構成するＳＲＯの結晶粒子と共に、微結晶（例えば、３０ｎｍ以下）とすることにより、電極層２と強誘電体記録層３とを無配向に構成することができる。
【０１２０】
例えば、ＳＲＯの成膜方法において、アモルファスＳｉＯ２層上へスパッタリングでＳＲＯを成膜することによってＳＲＯは配向を持たずに成長し、その無配向のＳＲＯ上にＰＺＴを成膜するとＰＺＴはＳＲＯに倣って無配向となる。
【０１２１】
尚、ここでの無配向とは、図３に示すように、ＸＲＤで確認し得るロッキングカーブが実質的にピークを示さない（Ｘ線測定装置の構成、膜としての形状から多少の山はできる）ことで定義し、この無配向（又はアモルファス）とすると、強誘電体記録層３の分解能（分極量（値））が落ちる変わりに、全体若しくは局所的な平均化が可能となり、結果的に、配向させた場合に比べて容易に平均化を実現することができる。
【０１２２】
さらに、Ｐｂ原料としてのＰｂ（ＤＰＭ）２は、０．１４ｍｌ／ｍｉｎ〜０．１６ｍｌ／ｍｉｎの範囲で電極層２側から上層に向かい成膜する過程でその濃度を調整する。例えば、下層においてその濃度を小さくし、上層においてその濃度を高くすることにより情報記録再生メモリ媒体完成時における最上層部のPbの濃度を２０％〜２２％（原子％）とすることにより、強誘電体記録層３の導電性を下げてもよい。Pｂの濃度を化学量論比から多い方にずらすことが好ましい。記録層の下層側においては、Pｂは、化学量論比を満たす値あるいは少ない方にずらした値としてもよい。
なお、下層においてＰｂの濃度が多いとＳＲＯの拡散が促進され過ぎてリークしてしまい、上層においてＰｂが少ないと強誘電性が損なわれてしまうおそれがある。また、Ｚｒ原料とＴｉ原料との比は４：６となるようにするのか好ましい。
このように、成膜段階で、濃度に傾斜的な変化を設けてもよい。また、このように成膜段階で濃度に傾斜的な変化を設けた後にポストアニールを行ってもよい。その場合には、Pｂは電極層に拡散し、また、Ｓｒは記録層に拡散する。すなわち、相互拡散も生じる。そのため、電極層と記録層との両層にわたって濃度の傾斜的変化が生じる。
なお、成膜時に、濃度の傾斜的な変化を設けた場合について説明したが、成膜時には傾斜的な変化を設けずに成膜し、ポストアニール行うことにより、最上層部のＰｂ濃度を２０を超える濃度とすることも当然可能である。
なお、以上の説明では、Ｐｂを例として説明したが、記録層の構成元素である、例えば、Ｓｒ、Ｂｉ、Ｌｉ等についても同様である。
【０１２３】
尚、これとは逆に、導電性をあげる場合においては、電極層２と強誘電体記録層３との組成を傾斜的、即ち、電極層２と強誘電体記録層３とを連続的な粒子構造（柱状）とすることにより、結晶性が向上され、格子不整合が緩和されるばかりでなく、分極電荷の非局在化による安定化を確保することができる。
【０１２４】
この際、強誘電体記録層３に、導電性部分と絶縁性部分とを混在（例えば、メッシュ状やスパイラル状）することにより、強誘電体記録層３の分極反転時の表面電荷の過不足の発生を抑制（チャージアップ防止）することも可能である。尚、導電性部分と絶縁性部分とをメッシュ状に混在させる場合、導電性材料（金属や高ドープ半導体）を導入すればよい。
【０１２５】
強誘電体記録層３の厚みとしては、特に制限はなく、目的に応じて適宜選択することができるが、例えば、１０〜１０００ｎｍが好ましく、５０〜５００ｎｍがより好ましい。
【０１２６】
強誘電体記録層３は、原子間力顕微鏡（ＡＦＭ：Ａｔｏｍｉｃ  ＦｏｒｃｅＭｉｃｒｏｓｃｏｐｅ）で測定した表面粗さ（ＲＭＳ）は、例えば、ＭＯＣＶＤ法等により形成した場合においては、３０ｎｍ以下あるいはそれよりもう少し大きい粗さとなる。
【０１２７】
尚、本実施の形態においては、強誘電体記録層３で構成した場合を説明したが、単なる多結晶の記録層として、微結晶（微結晶子）の無配向構造とすれば、磁性体や光記録等の記録媒体用として適用することも可能である。
【０１２８】
なお、前記したように、記録層（例えば、ＰＺＴ膜）は下地電極層（例えばＳＲＯ膜）に倣った成長が生じる。下地が微粒子ならば微粒子に、下地が無配向ならば無配向に成長する。また、上層ほど粒子が成長する。
【０１２９】
図４に強誘電体記録層３の堆積量が粒子径に与える影響を示す。
【０１３０】
電極層（ＳＲＯ）２の上層に強誘電体記録層（ＰＺＴ）３を４００ｎｍ堆積したところ、ごつごつした状態となる。また、強誘電体記録層３は、電極層２の粒子を核として微粒子で成長しているが、上層に行くに従って微粒子の粒径が大きくなる。従って、微粒子の粒径を大きくするためには、強誘電体記録層３の堆積量は大きくすることが好ましい。例えば、５０nmの粒径としたい場合には、１００nmの堆積量とすることが好ましい。
【０１３１】
図５に粒径と記録マーク径との関係の一例を示す。
【０１３２】
ピット径が粒径に対して小さくなってくると（図の右側に移動すると）、ピット毎の形状（格子状の形状）、信号強度のバラツキが大きくなる。
【０１３３】
（組成）
本発明では、膜中において、拡散原子を化学量論比より多い組成とする。
【０１３４】
例えば、ＰＺＴ：Ｐｂｘ（Ｚｒ０．４，Ｔｉ０．６）Ｏ３において、１＜ｘ＜１．３が好ましく、１．０２＜ｘ＜１．３がより好ましく、１．１＜ｘ＜１．２５がさらに好ましい。
【０１３５】
Ｐｂの比率が多いとＰｂ、Ｓｒの拡散が促進され、リーク（導電性）が大きくなる。
【０１３６】
成膜初期において、所望する特性成分（例えば、Ｐｂ）について化学量論比からはずした組成比とするには、ＭＯＣＶＤによる堆積方法において、液体原料中における該成分を含む有機金属錯体の量を調整することにより容易に達成することができる。
【０１３７】
（ＲＴＡ：ポストアニール）
本発明においては、強誘電体層３の形成後、強誘電体層３の組成原子の拡散等を行うための熱処理を行う。
【０１３８】
この熱処理は、強誘電体層３から電極層２への拡散（例えば、Ｐｂの電極層２への拡散）及び電極層２から強誘電体層３への拡散（例えば、Ｓｒの強誘電体層３への拡散）が生じさせることが好ましい。即ち、電極層２と強誘電体層３との間で相互拡散を生じさせることが好ましい。
【０１３９】
熱処理温度は、強誘電体層３から電極層２への拡散、電極層２から強誘電体層３への拡散、あるいは、強誘電体層３から電極層２への拡散と電極層２から強誘電体層３への拡散が生じる温度である。記録層２の成膜温度より高い温度が好ましい。５００℃〜７００℃が好ましい。５５０℃〜７００℃がより好ましい。
【０１４０】
ＲＴＡの温度を変化させた場合における強誘電体記録層３と電極層２との間の変化の様子を図６に示す。
【０１４１】
なお、図６における成膜条件は次の通りである。
【０１４２】
電極層：スパッタリング
ターゲット：ＳＲＯ
平行平板電極
周波数：１３．５６ＭＨｚ
ガス：Ａｒ＋Ｏ２
厚さ：５０ｎｍ
記録層：ＭＯＣＶＤ
溶媒
Ｐｂ（ＤＰＭ）２：０．１ｍｌ／ｍｉｎ
Ｚｒ（ｄｍｈｄ）４：０．０７ｍｌ／ｍｉｎ
Ｔｉ（Ｏ−ｉＰｒ）２（ＤＰＭ）２：０．１３ｍｌ／ｍｉｎ
Ｐｂｘ（Ｚｒ０．４，Ｔｉ０．６）Ｏ３
ｘ＝１．１  
厚さ：１００ｎｍ
ＲＴＡ：  昇温レート：    １００℃／ｓｅｃ
熱処理時間（保持時間）：
熱処理雰囲気：Ａｒ＋Ｏ２
図６（Ａ）に示す通り、ＲＴＡ前においては、強誘電体記録層３と電極層２との境界は明確である。
【０１４３】
一方、図６（Ｂ）に示すように、５８０℃では、強誘電体記録層３と電極層２との境界は不明確になる。また、ＰＺＴの一部成分とＳＲＯの一部成分とからなる粒子が形成されている。
【０１４４】
同様に、図６（Ｃ），（Ｄ）に示すように、６００℃、６２０℃と加熱温度を上げると、強誘電体記録層３と電極層２との境界はより不鮮明となり、特に、６２０℃においては境界は消滅している。
【０１４５】
一方、図３にはＰｂの量を化学量論比からずらした場合の影響を示す。
【０１４６】
図３は、Ｐｂの量と拡散の影響を示すグラフである。測定はＲＴＡ後、ＣＭＰ前における測定値である。
【０１４７】
図３の上段グラフは、Ｐｂｘ（Ｚｒｙ，Ｔｉ１−ｙ）Ｏ３においてｘ＝１．１であり、下段グラフはｘ＝１．０の場合である。
【０１４８】
測定は、膜の表面からエッチング速度約８ｎｍ／ｍｉｎで表面からエッチングを行い、各成分元素の濃度を測定したものである。
【０１４９】
Ｐｂを多くした場合には、ＲＡＴによりＰｂ、Ｓｒの相互拡散が促進されており、それらの濃度は傾斜的に分布していることがわかる。
【０１５０】
両者のリーク特性を測定した結果、ｘ＝１．１の場合はリーク大であったが、ｘ＝１．０の場合はリーク無であった。
【０１５１】
熱処理時間は、５秒以上５分以下が好ましい。５秒未満では、十分な拡散が生じない場合がある。５分以上では、構成原子が膜から抜け出してしまうことがある。また、電極層２から強誘電体層３の反対側表面まで拡散させることが好ましい。また、拡散原子は、濃度勾配を生ずるように拡散させることが好ましい。一般的には、濃度勾配をもって拡散する。実際の温度・時間において予め実験により、拡散距離や拡散量を調べておけば、拡散の距離、濃度勾配などは容易に制御することができる。
【０１５２】
上記温度、時間による熱処理により結晶化または結晶性が改善され優れた強誘電体特性が得られる。
【０１５３】
熱処理雰囲気は、特に限定されないが、酸化性雰囲気が好ましい。
【０１５４】
室温から、上記熱処理温度までの加熱速度は、５０℃／ｓｅｃ以上が好ましい。加熱速度が５０℃／ｓｅｃ未満では、非強誘電相の結晶（パイロクロア相）が発生する。
【０１５５】
次に、得られたＰｂ（Ｚｒｙ，Ｔｉ１−ｙ）Ｏ３［ＰＺＴ］の強誘電体記録層３の上層に、スパッタリング法等を用いて保護層４、表面層５、潤滑層６を順次形成してもよい。
【０１５６】
保護層４は、強誘電体記録層３よりもさらに微粒子又はアモルファス構造（高誘電率）とされ、その構成は強誘電体記録層と同じ組成比のものから構成されている。
【０１５７】
これにより、例えば、プローブ等のヘッドからの電界・圧力・熱等が加わったときに、保護層４の結晶化や強誘電体記録層３の分解が起きたときに、保護層４や強誘電体記録層３を含めた全体としての特性の変化（再結晶化）を緩和することができる。
【０１５８】
（ＣＭＰ）
表面の平坦化及び目的の厚さとするためにＣＭＰを行う。このＣＭＰの手法としては、通常のシリコン半導体の研磨に用いられている手法を用いることができる。
【０１５９】
ＣＭＰ後における表面粗度は、Ｒａとして１０ｎｍ以下が好ましい。
【０１６０】
図７にＣＭＰの前後における分極反転特性を示す。なお、図７は、共に後工程のプラズマエッチング処理を行ったものである。
【０１６１】
図７（Ａ）に示すＣＭＰ前においては、場所・粒子の表面形状に信号状態が依存していると推定され、局所的に異常に強い信号が見られた。それに対して、図７（Ｂ）に示すＣＭＰ後においては、異常に強い信号は見られなかった。
【０１６２】
（プラズマエッチング・保護層）
ＣＭＰの際に、物理的、化学的、熱的要因により表面にダメージが入る。そのため均一な信号強度を得ることができない。そこで、このダメージを除去するためにプラズマエッチングを行うことが好ましい。
【０１６３】
エッチング量としては、０〜５ｎｍが好ましい。また、プラズマガスとしては、酸素の抜けを防止するため酸素を含有させたＡｒを用いることが好ましい。
【０１６４】
プラズマエッチングを行うことによりダメージ層が除去される。なお、プラズマエッチングにおける電力としては、ウェーハの大きさや装置の大きさ（能力等）によるが、本実施の形態においては、５０Ｗ以下が好ましい。
【０１６５】
プラズマエッチング後においては、記録層２の表面には、アモルファス層が形成されている。
【０１６６】
このアモルファス層は、強誘電体記録層３と同じ構成元素から構成されている。仮に強誘電体記録層３とは異なる原子を含む材料により強誘電体記録層３の上層に保護層４が形成されていると、その異なる元素が強誘電体記録層３に、拡散等によって混入し、強誘電体記録層３の特性の阻害をもたらす虞がある。
【０１６７】
しかるに、強誘電体記録層３の表面をプラズマエッチングすることにより、アモルファス化した保護層４を形成する場合には、異種元素の混入による特性の劣化ということは防止することができる。また、保護層４をアモルファスとすることにより、粒界の内読み取り特性の優れたメモリとすることが可能となる。すなわち、プローブ１１による読み取り時、多結晶の場合、結晶粒界において電界の集中が生じるおそれがある。その場合、局所的な読み取りのバラツキが生ずることになる。しかるに、保護層４をアモルファスとすると上記のような結晶粒界における読み取りのバラツキということは生じない。
【０１６８】
本発明においては、保護層４は、その表面をＣＭＰで研磨した後にプラズマ処理してアモルファス化をすれば良いので、その他のアモルファス化や微粒子層を成膜するよりも容易に構成することができる。
【０１６９】
なお、プラズマエッチングを行う際には、最初は大きな電力を用い、次に開始時よりも小さな電力でプラズマエッチングを行うことが好ましい。
【０１７０】
図８にプラズマエッチングの効果を反転特性により評価した結果を示す。この図８に示すように、エッチング時間を増加させるにつれ反転特性が改善されていくことがわかる。
【０１７１】
尚、保護層４の厚さは、その厚さを厚くし過ぎると分解能と信号強度（Ｓ／Ｎ）とが悪化してしまうため、信号強度（Ｓ／Ｎ）と分解能とのミクロ的不均一さの緩和とのトレードオフを考慮して決定（例えば、０〜１０ｎｍ）するのが好ましい。
【０１７２】
なお、表面層５は、他の材料により構成してもよい。例えば、ＤＬＣ（ダイヤモンドライクカーボン）等の強度の高い材料から成膜され、化学変化の抑制並びにプローブ等のヘッドからの物理的な保護を可能とする。
【０１７３】
潤滑層６は、ＰＦＰＥ等から構成され、プローブ等のヘッドとの摩擦を緩和することができる。尚、潤滑層６は、硬い表面層５との組み合わせにより、潤滑効果を向上することができる。
【０１７４】
このように、本発明に係る情報記録再生メモリ媒体においては、従来のＦｅＲＡＭ等の情報記録再生メモリ媒体のように１ビット１つのキャパシタ又は強誘電体ゲート絶縁膜を形成するのとは異なり、強誘電体層３の上層に上部電極を設けることなく、一つの電極層２を用いることで、メモリ媒体読み取り装置等のプローブ電極が上部電極の代わりを果たすと共に、媒体面内の略全面を連続な強誘電体層２とすることができる。
【０１７５】
また、強誘電体層２が多少の導電性を有している場合も、その強誘電体層２の分極は維持することができる。従って、導電性を有していることによってキャパシタンスとしては両極が常にショートされている状態であるため電位（電界）や分極反転時の反転電流による読み出しが困難とされていたが、本実施の形態においては、読み出しを可能とすることができるばかりでなく、本来導電性が無い方が読み出し方法の自由度は広がるものの、導電性があることによる媒体表面のチャージアップを抑制することができる。
【産業上の利用可能性】
【０１７６】
本発明によれば、記録再生の安定化を確保することができる情報記録再生媒体を提供することができる。
【図１】
2014013645.tif 000003
【図２】
2014013645.tif 000004
【図３】
2014013645.tif 000005
【図４】
2014013645.tif 000006
【図５】
2014013645.tif 000007
【図６】
2014013645.tif 000008
【図７】
2014013645.tif 000009
【図８】
2014013645.tif 000010
【図９】
2014013645.tif 000011
【図１０】
2014013645.tif 000012
【図１１】
2014013645.tif 000013